(57)【要約】      （修正有）【課題】前置レンズを被検眼と観察光学系との間の光路に挿入した場合でも、観察対象を明瞭に観察することのできる細隙灯顕微鏡を提供する。【解決手段】架台５には被検眼Ｅと双眼観察光学系との間の観察光路に挿入・離脱されかつ観察対象を観察する前置レンズ１２を先端に備えた保持体が設けられ、前置レンズ１２を観察光路に挿入した状態で前置レンズ１２の光軸は双眼観察光学系の各光軸を含む平面内で、各光軸を対称に分割するように配置されている。【選択図】図１
2009095518.tif 000002
【特許請求の範囲】
【請求項１】
ベースに対して前後動可能な架台と、前記ベースに設けられて被験者の顎を支持する顎受け部を有する支柱とを備え、
前記架台には被検眼を照明する照明光学系を有する照明光源部と、前記被験者の被検眼を観察する双眼観察光学系を有する観察部とが設けられ、
前記照明光源部は前記架台に立設された固定支持体と、前記照明光学系を内蔵する照明光学系用ケースとを備え、
前記観察部は前記架台に立設された回動可能の回動支持体と、前記双眼観察光学系を内蔵する観察光学系用ケースと、前記回動支持体と前記観察光学系用ケースとの間に配置されて前記被検眼に対して離反・接近される方向に前記観察光学系用ケースを駆動する駆動部とを備え、
前記架台には前記被検眼と前記双眼観察光学系との間の観察光路に挿入・離脱されかつ観察対象を観察する前置レンズを先端に備えた保持体が設けられ、前記前置レンズを前記観察光路に挿入した状態で該前置レンズの光軸は前記双眼観察光学系の各光軸を含む平面内で、前記各光軸を対称に分割するように配置されていることを特徴とする細隙灯顕微鏡。
【請求項２】
前記前置レンズが前記観察光路に挿入されたとき、前記双眼観察光学系が観察対象に自動的に合焦されるように前記観察光学系用ケースが駆動されることを特徴とする請求項１に記載の細隙灯顕微鏡。
【請求項３】
前記照明光学系の光軸は、前記被検眼の前眼部を観察するとき、前記平面に対して直交する方向とされ、前記観察光路内には前記照明光学系から射出された照明光を前記被検眼に向けて反射する反射ミラーが配設され、該反射ミラーは前記双眼観察光学系の観察光路を避けるように両端部が切り欠かれ、前記観察光路内に前記前置レンズが挿入されたとき、前記照明光学系の光軸は、前記前置レンズの前記観察光路内への挿入により自動的に前記平面に対して傾斜されるように前記照明光学系用ケースが傾動されることを特徴とする請求項２に記載の細隙灯顕微鏡。
【請求項４】
前記前置レンズを前記観察光路から退避させたとき、自動的に前記双眼観察光学系用ケースと前記照明光学系用ケースとが元の状態に復帰されることを特徴とする請求項３に記載の細隙灯顕微鏡。
【請求項５】
前記保持体は、前記架台に基部が固定された案内筒と前記前置レンズを先端に保持する保持棒とからなり、前記保持棒は前記案内筒から進出する方向に付勢され、前記案内筒には前記保持棒の突出量を規制する案内孔が設けられると共に、前記保持棒が前記案内筒内に退避した状態を保持する係合部材が設けられていることを特徴とする請求項１ないし請求項４のいずれか１項に記載の細隙灯顕微鏡。
【請求項６】
前記保持棒は、前記支柱に向かって屈曲されていることを特徴とする請求項５に記載の細隙灯顕微鏡。
【請求項７】
前記双眼観察光学系の各観察光路にはＣＣＤセンサがそれぞれ設けられ、前記駆動機構は前記各ＣＣＤセンサ上でのコントラストが極大となる方向に前記双眼観察光学系用ケースを駆動することを特徴とする請求項１ないし請求項６のいずれか１項に記載の細隙灯顕微鏡。
【発明の詳細な説明】
【技術分野】
【０００１】
本発明は、細隙灯顕微鏡の改良に関する。
【背景技術】
【０００２】
従来から、細隙灯顕微鏡には、細隙灯顕微鏡本体と、被験者の顎を支持する顎受け部を有する支柱と、支柱に回動可能に取り付けられたアームと、このアームの先端部に設けられたレンズホルダーとを備え、このレンズホルダーに眼底、硝子体等の観察対象を観察するための前置レンズを保持させる構成のものが知られている（例えば、特許文献１参照。）。
【０００３】
その細隙灯顕微鏡本体には、被検眼を照明する照明光学系と、被検眼を観察する観察光学系とが一体に設けられ、前置レンズは眼底、硝子体等の観察対象を観察するために被検眼と観察光学系との間に配置される。
【特許文献１】特開平９−２７６２２７号公報
【発明の開示】
【発明が解決しようとする課題】
【０００４】
しかしながら、従来の細隙灯顕微鏡では、前置レンズが支柱に取り付けられたアームに保持され、細隙灯顕微鏡本体とは別体の構成であるので、前置レンズを観察光路に挿入するとき、前置レンズの光軸が双眼観察光学系の各光軸を含む平面内に位置されるように、かつ、各光軸が対称に分割されるように前置レンズの光軸を調整するのが困難である。
【０００５】
その前置レンズを被検眼と観察光学系との間の観察光路に挿入して眼底、硝子体等の観察対象を観察するとき、双眼観察光学系の各光軸が前置レンズの光軸に対して対称位置にないとき、又は前置レンズの光軸が双眼観察光学系の各光軸を含む平面内に位置されていないとき、前置レンズにより形成される眼底、硝子体等の観察対象の空中倒立像の像が歪んだり、照明光束若しくは観察対象像にケラレが生じ、観察対象像を明瞭に観察できないという不都合が生じる。
【０００６】
また、被検眼の屈折力には個人差があるので、前置レンズを被検眼と観察光学系との間の光路に挿入して眼底、硝子体等の観察対象を観察するとき、空中倒立像の光軸方向についての形成位置が各個人（各被験者）によって異なる。そこで、検者は空中倒立像の形成位置にピントを合わせるために、細隙灯顕微鏡本体を光軸方向（被験者に対して前後方向）に移動させて調整を行っている。
【０００７】
ところが、細隙灯顕微鏡本体を光軸方向に移動させると、照明光学系も一体に光軸方向に移動するため、被検眼の角膜における照明射出瞳像がぼけて、観察光学系の入射瞳と重なる。このため、角膜による照明反射光が観察光学系の観察光路に混入し、フレアが生じるため観察対象を明瞭に観察できないという不都合がある。
【０００８】
本発明は、上記の事情に鑑みて為されたもので、その目的とするところは、前置レンズを被検眼と観察光学系との間の光路に挿入した場合でも、観察対象を明瞭に観察することのできる細隙灯顕微鏡を提供することにある。
【課題を解決するための手段】
【０００９】
請求項１に記載の細隙灯顕微鏡は、ベースに対して前後動可能な架台と、前記ベースに設けられて被験者の顎を支持する顎受け部を有する支柱とを備え、前記架台には被検眼を照明する照明光学系を有する照明光源部と、前記被験者の被検眼を観察する双眼観察光学系を有する観察部とが設けられ、前記照明光源部は前記架台に立設された固定支持体と、前記照明光学系を内蔵する照明光学系用ケースとを備え、前記観察部は前記架台に立設された回動可能の回動支持体と、前記双眼観察光学系を内蔵する観察光学系用ケースと、前記回動支持体と前記観察光学系用ケースとの間に配置されて前記被検眼に対して離反・接近される方向に前記観察光学系用ケースを駆動する駆動機構とを備え、前記架台には前記被検眼と前記双眼観察光学系との間の観察光路に挿入・離脱されかつ観察対象を観察する前置レンズを先端に備えた保持体が設けられ、前記前置レンズを前記観察光路に挿入した状態で該前置レンズの光軸は前記双眼観察光学系の各光軸を含む平面内で、前記各光軸を対称に分割するように配置されていることを特徴とする。
【００１０】
請求項２に記載の細隙灯顕微鏡は、前記前置レンズが前記観察光路に挿入されたとき、前記双眼観察光学系が観察対象に自動的に合焦されるように前記観察光学系用ケースが駆動されることを特徴とする。
【００１１】
請求項３に記載の細隙灯顕微鏡は、前記照明光学系の光軸は、前記被検眼の前眼部を観察するとき、前記平面に対して直交する方向とされ、前記観察光路内には前記照明光学系から射出された照明光を前記被検眼に向けて反射する反射ミラーが配設され、該反射ミラーは前記双眼観察光学系の観察光路を避けるように両端部が切り欠かれ、前記観察光路内に前記前置レンズが挿入されたとき、前記照明光学系の光軸は、前記前置レンズの前記観察光路内への挿入により自動的に前記平面に対して傾斜されるように前記照明光学系用ケースが傾動されることを特徴とする。
【００１２】
請求項４に記載の細隙灯顕微鏡は、前記前置レンズを前記観察光路から退避させたとき、自動的に前記双眼観察光学系用ケースと前記照明光学系用ケースとが元の状態に復帰されることを特徴とする。
【００１３】
請求項５に記載の細隙灯顕微鏡は、前記保持体は、前記架台に基部が固定された案内筒と前記前置レンズを先端に保持する保持棒とからなり、前記保持棒は前記案内筒から進出する方向に付勢され、前記案内筒には前記保持棒の突出量を規制する案内孔が設けられると共に、前記保持棒が前記案内筒内に退避した状態を保持する係合部材が設けられていることを特徴とする。
【００１４】
請求項６に記載の細隙灯顕微鏡は、前記保持棒が、前記支柱に向かって屈曲されていることを特徴とする。
【００１５】
請求項７に記載の細隙灯顕微鏡は、前記双眼観察光学系の各観察光路にはＣＣＤセンサがそれぞれ設けられ、前記駆動機構は前記各ＣＣＤセンサ上でのコントラストが極大となる方向に前記双眼観察光学系用ケースを駆動することを特徴とする。
【発明の効果】
【００１６】
請求項１ないし請求項７に記載の発明によれば、前置レンズを被検眼と双眼観察光学系との間の観察光路に挿入した場合でも、観察対象を明瞭に観察することができる。
【００１７】
請求項２、請求項７に記載の発明によれば、前置レンズを挿入したときに、被検眼の屈折力に個人差があっても、自動的に観察対象に対して合焦を行うことができる。
【００１８】
請求項３に記載の発明によれば、照明光が双眼観察光学系の観察光路に混入するのをより一層避けることができる。
【００１９】
請求項３ないし請求項５、請求項７に記載の発明によれば、自動化を図るのに好適である。
【発明を実施するための最良の形態】
【００２０】
以下に、本発明に係わる細隙灯顕微鏡の発明の実施の形態を図面を参照しつつ説明する。
【実施例】
【００２１】
図１は本発明に係わる細隙顕微鏡の概要を示す説明図であって、この図１において、１はベースである。このベース１にはその前端部に、顎受け部２と額当て３とを有する支柱４が立設固定されている。顎受け部２には被験者の顎が支承され、額当て３には被験者の額が当てられる。
【００２２】
このベース１の上面には、架台５が摺動可能に設けられている。架台５は被験者の被検眼Ｅに対して前後方向に離反・接近される。その架台５には固定筒６が設けられている。この固定筒６にはアーム付き固定具７が取り付けられる。
【００２３】
アーム付き固定具７には嵌合棒８と屈曲アーム９と案内筒１０とが設けられている。嵌合棒８は固定筒６の筒穴に圧入固定されている。案内筒１０には図２、図３に示すように、保持棒１１が上下方向に摺動可能に設けられている。
【００２４】
その保持棒１１の上端部には、前置レンズ１２を保持するレンズ保持枠１３が固定されている。保持棒１１の下端部にはバネ受け１４が設けられ、保持棒１１はスプリング１５によって案内筒１０から突出する方向に付勢されている。
【００２５】
その前置レンズ１２は、観察対象としての眼底Ｅｆを観察する際に、後述する双眼観察光学系の観察光路に挿入される。保持棒１１とレンズ保持枠１３とはその前置レンズ１２を保持する保持体としての役割を有する。
【００２６】
保持棒１１には案内ピン１６が設けられ、固定筒６にはその筒壁１７に上下方向に延びる案内孔１８が形成されている。ここでは、案内孔１８の上方周縁と案内ピン１６とは協働して保持棒１１の突出量を規制する突出量規制部材となっている。
【００２７】
案内筒１０にはその上端部に、止めネジ１９が設けられ、保持棒１１にはこの止めネジ１９に対応する位置にネジ穴２０が設けられている。図２は保持棒１１が筒穴に引き込まれた状態が示されており、この図２に示す状態で、止めネジ１９を緩めると、保持棒１１がスプリング１５の付勢力によって図３に示すように突出される。
【００２８】
屈曲アーム９は図１に示すように上下方向に延びる固定支持体としてのアーム部２１を有する。このアーム部２１には反射ミラー筒２２が設けられている。この反射ミラー筒２２は図４に示すように止めネジ２３によってアーム部２１に固定されている。そのアーム部２１にはその止めネジ２３に対応する箇所にネジ穴２４が設けられている。この反射ミラー筒２２の上端には反射ミラー板２５が形成されている。この反射ミラー板２５の上端部は切り欠かれ、後述する双眼観察光学系の観察光路となっている。
【００２９】
そのアーム部２１、反射ミラー筒２２の上端部には貫通穴が形成され、この貫通穴には回動軸２６が図４に示すように挿通されている。この回動軸２６には支持板２７が設けられる。支持板２７は一対のアーム板２８、２８と取り付け板２９とから構成されている。
【００３０】
その取り付け板２９には照明光学系用ケース３０が固定されている。この照明光学系用ケース３０には、光源３１とコンデンサレンズ３２とスリット絞り板３３とコンデンサレンズ３４とがこの順に配設された照明光学系３５が内蔵されている。アーム部２１、反射ミラー筒２２、支持板２７、照明光学系用ケース３０、照明光学系３５は照明光源部を大略構成している。
【００３１】
固定筒６とアーム付き固定具７との間には回動支持体としてのアーム付き回動筒３６が設けられている。このアーム付き回動筒３６はアーム付き固定具７を固定筒６に固定する前に固定筒６とアーム付き固定具７との間に配設される。
【００３２】
アーム付き回動筒３６は屈曲アーム３７を有する。この屈曲アーム３７は水平方向に延びる水平方向アーム部３８とこの水平方向アーム部３８に対して垂直方向に延びる垂直アーム部３９とを有する。
【００３３】
水平アーム部３８には、後述する駆動回路からの駆動信号に基づいて照明光学系用ケースを傾動させるプランジャ装置４０が固定されている。一対のアーム板２８、２８には係合板４１が設けられ、この係合板４１はプランジャ装置４０のロッド４２の先端部４２ａに当接している。係合板４１とプランジャ装置４０との間には、ロッド４２を突出する方向に付勢する付勢スプリング４３が配設されている。
【００３４】
アーム付き固定具７には、図１に示すように、案内筒１０に隣接してマイクロスイッチ４４が配設されている。このマイクロスイッチ４４は検出ロッド４４ａを有する。マイクロスイッチ４４は、前置レンズ１２の観察光路への挿脱を検出する検出部としての役割を有する。
【００３５】
その案内ピン１６が検出ロッド４４ａから離間すると、マイクロスイッチ４４は駆動回路４５に向けて検出信号を出力し、駆動回路４５はこの検出信号に基づいて駆動信号をプランジャ装置４０に出力し、ロッド４２が付勢スプリング４３の付勢力に抗して矢印Ａ方向に駆動されるため、照明光学系用ケース３０が回動軸２６を中心に矢印Ｂ方向に回動される。その結果、照明光学系３５が垂直方向から水平方向に向けて傾動される。
【００３６】
案内ピン１６が検出ロッド４４ａに接触すると、検出信号の出力が停止され、駆動回路４５からの駆動信号の出力が停止される。これにより、プランジャ装置４０の駆動が停止され、ロッド４２がスプリング４３の付勢力により矢印Ａ方向と反対方向に駆動され、照明光学系用ケース３０が回動軸２６を中心に矢印Ｂ方向と反対方向に回動され、照明光学系用ケース３０は付勢スプリング４３の付勢力により元の状態に復帰される。
【００３７】
垂直アーム部３９には駆動部４６が設けられている。この駆動部４６は例えばリニアモータ機構により構成される。この駆動部４６には双眼観察光学系用ケース４７が設けられている。双眼観察光学系用ケース４７には、図５〜図８に示すように、対物レンズ５０と変倍レンズ５１と接眼レンズ５２とから大略構成される双眼観察光学系５３が内蔵されている。
【００３８】
その駆動部４６は観察光学系用ケース４７と垂直アーム部３９との間に配設されて被検眼Ｅに対して離反・接近される方向に観察光学系用ケース４７を駆動する駆動機構としての役割を有する。その双眼観察光学系用ケース４７は嵌合棒８を支軸として水平方向に回動される。 そのアーム付き回動筒３６、屈曲アーム３７、駆動部４６、双眼観察光学系用ケース４７は被検者の被検眼Ｅを観察する双眼観察光学系を有する観察部を構成している。
【００３９】
その前置レンズ１２は被検眼Ｅと双眼観察光学系５３の観察光路に挿入されたとき、その前置レンズ１２の光軸Ｏは図１に示す双眼観察光学系５３の各光軸Ｏ１、Ｏ２を含む平面内で図９〜図１１に示すように各光軸Ｏ１、Ｏ２を対称に分割するように配置されている。なお、その図９〜図１１に示すように、５４、５５は、前置レンズ１２により角膜上に投影される一対の双眼観察光学系の各入射瞳の像を示している。
【００４０】
次に、この発明の作用を図１２を参照しつつ説明する。
【００４１】
図５に示すように、被検者の前眼部を観察するときには、ジョイスティック５６を操作して、スリット絞り板３３のスリット像３３’が被検眼Ｅの角膜Ｃの頂点に形成されるように、架台５を被検眼Ｅに対して前後動させる（Ｓ．１）。
【００４２】
双眼観察光学系５３の合焦位置（ピント位置）は、スリット絞り像３３’の形成位置と同位置に合致されているので、これにより、前眼部像が明瞭に観察される。
【００４３】
ついで、眼底Ｅｆを観察するか否か判断する（Ｓ．２）。眼底観察を行う場合には、図６に示すように前置レンズ１２を観察光路に挿入すると共に架台５を被検眼Ｅから離間する方向に操作する（Ｓ．３）。ついで、双眼観察光学系５３を覗き、グレアが発生しているか否かを判断する（Ｓ．４）。
【００４４】
照明光学系３５、双眼観察光学系４７、前置レンズ１２の配置が適切でない場合、図９に示すように、双眼観察光学系５３の各入射瞳５４、５５と照明光学系３５の射出瞳５７との一部が重なってしまい、双眼観察光学系５３の各観察光路に角膜Ｃによる反射光が混入し、グレアが生じる。
【００４５】
一方、図１０に示すように、双眼観察光学系５３の各入射瞳５４、５５と照明光学系３５の射出瞳５７との一部が重なっていないとき、双眼観察光学系５３の各観察光路に角膜Ｃによる反射光が混入しないため、グレアは生じない。
【００４６】
この実施例では、いずれの場合でも、前置レンズ１２が観察光路に挿入されると、マイクロスイッチ４４が前置レンズ１２の観察光路への挿入を検出し、照明光学系用ケース３０が図８に示すように光軸Ｏ１、Ｏ２を含む平面に対して自動的に傾動される（Ｓ．５）。従って、図１１に示すように、 照明光学系３５の射出瞳５７が双眼観察光学系５３の各入射瞳５４、５５から遠ざかる方向に移動する。従って、双眼観察光学系５３の各観察光路に角膜Ｃによる反射光の混入がより一層確実に回避され、グレアの発生が予防できる。
【００４７】
ついで、眼底Ｅｆに合焦しているか否かが判断される（Ｓ．６）。眼底Ｅｆに合焦している場合には、双眼観察光学系５３を前後方向に駆動する必要はない。眼底Ｅｆに合焦していない場合には、図７に示すように眼底Ｅｆに合焦するように双眼観察光学系５３を架台５に対して前後動させる（Ｓ．７）。
【００４８】
この双眼観察光学系５３の架台５に対する前後動は、ここでは、操作ボタン（図示を略す）により電動で行う構成とするが、手動で行っても良い。また、ここでは、操作ボタンを操作することにより半自動で行う構成とされているが、図１３に示すように、変倍レンズ５１と接眼レンズ５２との間にハーフミラー５８を設け、このハーフミラー５８の反射方向前方にＣＣＤセンサ５９を配置し、ＣＣＤセンサ５９上でのコントラストが極大となる方向に駆動回路６０により駆動部４６を制御する構成としても良い。
【００４９】
ついで、眼底観察を実行し（Ｓ．８）、検査が終わったか否かを判断（Ｓ．９）し、検査が終わっていないときには、前眼部を見るか否かを判断し（Ｓ．１０）、前眼部を見るときには、前置レンズ１２を双眼観察光学系５３の各観察光路から退避させる（Ｓ．１１）。その前置レンズ１２を双眼観察光学系５３の各観察光路から退避させると、照明光学系用ケース３０が元の状態に復帰される。
【００５０】
また、半自動の場合には、操作ボタンの操作によって、双眼観察用光学系ケース４７が元の位置に復帰される。手動の場合には、手動操作によって、双眼観察用光学系ケース４７が元の位置に戻される。更に、自動操作の場合には、自動的に、双眼観察用光学系ケース４７が元の位置に復帰される。
【００５１】
ついで、架台５を元の位置に手動操作により復帰させる（Ｓ．１２）。
【００５２】
以上、実施例について説明したが、保持棒１１は図１４に示すように支柱４に向かって屈曲されていても良い。このように保持棒１１を支柱４に向かって屈曲させると、前置レンズ１２を被検眼Ｅに極力接近させることができる。
【００５３】
また、この実施例では、保持棒１１を付勢スプリング１５により突出方向に付勢する構成を採用したが、図１５に示すように、保持棒１１を起立倒伏させる構成を採用しても良い。
【図面の簡単な説明】
【００５４】
【図１】本発明に係わる細隙灯顕微鏡の一例を示す概要図である。
【図２】図１に示す前置レンズの保持体の一例を示す部分図であって、前置レンズが案内筒に退避した状態を示す図である。
【図３】図１に示す前置レンズの保持体の一例を示す部分図であって、前置レンズが案内筒に突出した状態を示す図である。
【図４】図１に示す照明光源部の概要を説明するための部分断面図である。
【図５】本発明に係わる細隙灯顕微鏡の使用状態を説明するための説明図であって、照明光学系と双眼観察光学系とを被検眼の前眼部に位置合わせした状態を説明するための説明図である。
【図６】本発明に係わる細隙灯顕微鏡の使用状態を説明するための説明図であって、前置レンズを被検眼と双眼観察光学系との間の光路に挿入して、眼底を観察するために照明光学系と双眼観察光学系とを被検眼から後退させた状態を説明するための説明図である。
【図７】図６に示す状態で、被検眼の眼底に双眼観察光学系が合焦していないとき、双眼観察光学系のみを架台に対して後退させた状態を示す説明図である。
【図８】図７に示す状態で、照明光学系を傾動させた状態を示す説明図である。
【図９】双眼観察光学系の入射瞳と照明光学系の射出瞳との一部が重なっている状態を示す説明図である。
【図１０】双眼観察光学系の入射瞳と照明光学系の射出瞳との重なりが回避された状態を示す説明図である。
【図１１】双眼観察光学系の入射瞳と照明光学系の射出瞳との重なりが回避された状態を示す説明図であって、照明光学系の傾動により射出瞳が入射瞳から離間した状態を示す説明図である。
【図１２】本発明に係わる細隙灯顕微鏡の作用の一例を説明するためのフローチャートである。
【図１３】本発明に係わる双眼観察光学系の変形例を示す説明図である。
【図１４】図１に示す前置レンズの保持棒の変形例を示す側面図である。
【図１５】図１に示す前置レンズの保持棒の他の変形例を示す側面図である。
【符号の説明】
【００５５】
１…ベース
４…支柱
５…架台
１２…前置レンズ
３０…照明光学系用ケース
４６…駆動部
４７…双眼観察光学系用ケース
【図１】
2009095518.tif 000003
【図２】
2009095518.tif 000004
【図３】
2009095518.tif 000005
【図４】
2009095518.tif 000006
【図５】
2009095518.tif 000007
【図６】
2009095518.tif 000008
【図７】
2009095518.tif 000009
【図８】
2009095518.tif 000010
【図９】
2009095518.tif 000011
【図１０】
2009095518.tif 000012
【図１１】
2009095518.tif 000013
【図１２】
2009095518.tif 000014
【図１３】
2009095518.tif 000015
【図１４】
2009095518.tif 000016
【図１５】
2009095518.tif 000017